(57)【要約】【課題】簡単な構成で火災発生時には確実に障子を拘束することのできるロック機構を備えた開口部装置を提供する。【解決手段】建物開口部に設けられる枠体１内に障子２を納めてなり、互いに対向する枠体１を構成する枠材１０の内周面１０ａと障子２を構成する框材２０の外周面２０ａのいずれか一方にはロック部品３０が、他方には立ち上がり部３５ｂが設けられ、ロック部品３０は、上下方向に伸びる支持面部３１ｂに対し自重により移動可能に形成された移動部材３２を有すると共に、立ち上がり部３５ｂより高い位置に配置され、移動部材３２は、樹脂製のスペーサー部材３３を介して立ち上がり部３５ｂと干渉しない上位置で支持面部３１ｂに固定され、スペーサー部材３３が脱落すると立ち上がり部３５ｂと干渉して障子２の開放を阻止する下位置に移動する。【選択図】図４
2014074285.tif 000002
【特許請求の範囲】
【請求項１】
建物開口部に設けられる枠体内に障子を納めてなる開口部装置において、
互いに対向する前記枠体を構成する枠材の内周面と前記障子を構成する框材の外周面のいずれか一方にはロック部品が、他方には立ち上がり部が設けられ、
前記ロック部品は、上下方向に伸びる支持面部に対し自重により移動可能に設けられた移動部材を有すると共に、前記立ち上がり部より高い位置に配置され、
前記移動部材は、樹脂製のスペーサー部材を介して前記立ち上がり部と干渉しない上位置で前記支持面部に固定され、前記スペーサー部材が脱落すると前記立ち上がり部と干渉して前記障子の開放を阻止する下位置に移動することを特徴とする開口部装置。
【請求項２】
前記支持面部と移動部材はネジ固定され、前記スペーサー部材はワッシャーからなることを特徴とする請求項１記載の開口部装置。
【請求項３】
前記支持面部と移動部材のいずれか一方には上下方向に長い長孔が形成され、該長孔を介して前記支持面部と移動部材がネジ固定されることを特徴とする請求項２記載の開口部装置。
【請求項４】
前記立ち上がり部は前記枠材の内周面または框材の外周面に対して取付けられる係止部材に形成されることを特徴とする請求項１または２記載の開口部装置。
【請求項５】
前記框材の外周面に取付けられる前記ロック部品または係止部材は、前記枠材の内周面に取付けられて対向する前記係止部材またはロック部材より長尺状に形成されることを特徴とする請求項４記載の開口部装置。
【発明の詳細な説明】
【技術分野】
【０００１】
本発明は、建物開口部に設けられる枠体内に障子を開閉自在に納めてなる開口部装置に関し、特に火災発生時にも障子が枠体に拘束されて開かないようにした開口部装置に関する。
【背景技術】
【０００２】
建物開口部に設けられる枠体内に障子を開閉自在に納めた開口部装置では、障子が閉じた状態で枠体に対して拘束され、ロックされる。しかし、開口部装置の種類によっては、火災発生時に高温に晒されると、障子の拘束状態が解除され、障子が開いてしまう場合がある。例えば、滑車を介してワイヤーによって障子を拘束する開口部装置にあっては、高温に晒されることで樹脂製の滑車が溶融し、ワイヤーの拘束力を失ってしまうことがある。
【０００３】
火災発生時にも障子の拘束状態を維持するため、温度上昇に伴って作動するロック機構を開口部装置に設けたものが知られている。ロック機構としては、例えば特許文献１に示すように、所定温度で溶融するヒューズ部材と、ヒューズ部材が溶融することで作動するバネ部材と、バネ部材によって跳ね上がる板部材とを有して障子に取付けられ、火災が発生して開口部装置が高温に晒されると、跳ね上がった板部材が枠体に係止され、これによってロック状態を維持するものがある。また、特許文献２にはヒューズ部材及びバネ部材の代わりに形状記憶合金を用いたものが開示されている。
【先行技術文献】
【特許文献】
【０００４】
【特許文献１】特開４−２６６７７１号公報
【特許文献２】特開４−２６６７７２号公報
【発明の概要】
【発明が解決しようとする課題】
【０００５】
しかし、従来のロック機構は、取付位置が限定されるという問題があった。火災発生時の開口部装置における温度は、火災の状況などに応じて位置によって大きく異なるため、障子の拘束状態が解除されるまでの間に、ロック機構の取付位置における温度が所定値以上とならない場合も考えられる。また、ヒューズ部材やバネ部材、形状記憶合金の部品など、専用の部品を用意する必要があってコストを上昇させる要因となっていた。さらには、バネ部材については高温になるほど弾性力が弱くなる特性があるため、使用できない場合もあった。
【０００６】
本発明は前記課題を鑑みてなされたものであり、簡単な構成で火災発生時には確実に障子を拘束することのできるロック機構を備えた開口部装置を提供することを目的とする。
【課題を解決するための手段】
【０００７】
前記課題を解決するため、請求項１の発明に係る開口部装置は、建物開口部に設けられる枠体内に障子を納めてなる開口部装置において、
互いに対向する前記枠体を構成する枠材の内周面と前記障子を構成する框材の外周面のいずれか一方にはロック部品が、他方には立ち上がり部が設けられ、
前記ロック部品は、上下方向に伸びる支持面部に対し自重により移動可能に設けられた移動部材を有すると共に、前記立ち上がり部より高い位置に配置され、
前記移動部材は、樹脂製のスペーサー部材を介して前記立ち上がり部と干渉しない上位置で前記支持面部に固定され、前記スペーサー部材が脱落すると前記立ち上がり部と干渉して前記障子の開放を阻止する下位置に移動することを特徴として構成されている。
【０００８】
請求項１に係る発明によれば、火災発生時には樹脂製のスペーサー部材が脱落し、ロック部品の移動部材が立ち上がり部と干渉して障子の開放を阻止することができ、スペーサー部材の溶融のみで確実に移動部材を移動させて障子を枠体に拘束した状態を維持することができる。
【０００９】
また、請求項２の発明に係る開口部装置は、前記支持面部と移動部材はネジ固定され、前記スペーサー部材はワッシャーからなることを特徴として構成されている。
【００１０】
請求項２に係る発明によれば、簡単な部品でロック部品を構成でき、ワッシャーの厚みを調整することで、火災が発生した際には早期に脱落させて移動部材を移動させることができる。
【００１１】
さらに、請求項３の発明に係る開口部装置は、前記支持面部と移動部材のいずれか一方には上下方向に長い長孔が形成され、該長孔を介して前記支持面部と移動部材がネジ固定されることを特徴として構成されている。
【００１２】
請求項３に係る発明によれば、スペーサー部材が脱落して移動部材に対する固定が解除された際に、重力により確実に移動部材を移動させることができる。
【００１３】
さらにまた、請求項４の発明に係る開口部装置は、前記立ち上がり部は前記枠材の内周面または框材の外周面に対して取付けられる係止部材に形成されることを特徴として構成されている。
【００１４】
請求項４に係る発明によれば、枠材または框材に構造上立ち上がり部を形成できない場合であっても立ち上がり部を設けることができる。
【００１５】
そして、請求項５の発明に係る開口部装置は、前記框材の外周面に取付けられる前記ロック部品または係止部材は、前記枠材の内周面に取付けられて対向する前記係止部材またはロック部材より長尺状に形成されることを特徴として構成されている。
【００１６】
請求項５に係る発明によれば、ロック部材または係止部材を框材の強度を向上させる補強材としても用いることができる。
【発明の効果】
【００１７】
本発明に係る開口部装置によれば、樹脂製のスペーサー部材を溶融させ脱落させることによって移動部材を移動させ、障子を枠体に拘束した状態を維持できるので、バネや形状記憶合金などを用いることなく簡単な構成で火災発生時には確実に障子を拘束することができる。
【図面の簡単な説明】
【００１８】
【図１】本実施形態における開口部装置の正面図である。
【図２】開口部装置の縦断面図である。
【図３】開口部装置の横断面図である。
【図４】開口部装置の上枠及び上框付近の拡大縦断面図である。
【図５】ロック部品の分解側面図である。
【図６】ロック部品の斜視図である。
【図７】火災発生時の状態におけるロック部品の斜視図である。
【図８】火災発生時の状態における開口部装置の上枠及び上框付近の拡大縦断面図である。
【図９】開口部装置の下辺にロック部品と立ち上がり部を設けた場合の下枠及び下框付近拡大図である。
【図１０】火災発生時におけるロック部品の状態を表した下枠と下框付近拡大図である。
【図１１】開口部装置の縦辺にロック部品と立ち上がり部を設けた場合の縦枠及び縦框付近拡大図である。
【図１２】ロック部品の側面図である。
【図１３】火災発生時の状態におけるロック部品の側面図である。
【図１４】火災発生時の状態における縦枠及び縦框付近拡大図である。
【図１５】別の形態のロック部品及び立ち上がり部を有する縦枠と縦框付近の拡大図である。
【図１６】移動部材の正面図である。
【図１７】ロック部品と係止部材の側面図である。
【図１８】火災発生時の状態におけるロック部品と係止部材の側面図である。
【発明を実施するための形態】
【００１９】
本発明の実施形態について図面に沿って詳細に説明する。図１には本実施形態における開口部装置の正面図を示している。この図に示すように、本実施形態の開口部装置は、上枠１０と下枠１１及び左右の縦枠１２，１２を方形状に枠組みしてなる枠体１内に障子２を開閉自在に納めてなるものである。この開口部装置は、障子２の下辺を中心に上辺が室外側に向かって傾倒自在な開き窓として構成されている。
【００２０】
図２には開口部装置の縦断面図を、図３には開口部装置の横断面図を示している。障子２は、上框２０と下框２１及び左右の縦框２２，２２を方形状に框組みしてなる框体３内に、ガラス板からなるパネル体４を納めて構成されている。
【００２１】
上枠１０と下枠１１及び縦枠１２には、それぞれ長手方向に沿って気密材１３が設けられており、気密材１３が障子２の室内側面に当接していることで、枠体１と障子２の間の気密性が確保されている。
【００２２】
上枠１０の内周面１０ａと上框２０の外周面２０ａの間には、開閉機構５が設けられていて、枠体１が障子２を開閉自在に支持している。開閉機構５内には、樹脂製の滑車を介したワイヤーによって、障子２を枠体１側から支持している。一方、下枠１１の内周面１１ａと下框２１の外周面２１ａの間には、ヒンジ部６が設けられており、障子２を枠体１に対して下辺を中心に傾倒自在となるようにしている。
【００２３】
図１において開閉機構５は開口部装置の上辺部に設けられているが、火災が発生して開口部装置が高温に晒されると、開閉機構５内に設けられた樹脂製の滑車などは溶融し、ワイヤーによる障子２の拘束状態が解除されてしまうため、そのままでは障子２が室外側に開くように傾倒する。これを防止するため、開口部装置の上辺には火災発生時に障子２が開かないようにロックする構造が設けられている。
【００２４】
図４には、開口部装置の上枠１０及び上框２０付近の拡大縦断面図を示している。この図は、開閉機構５が設けられている位置と異なる位置における断面を表している。上枠１０の内周面１０ａと上框２０の外周面２０ａのうち、上方に位置する上枠１０の内周面１０ａにはロック部品３０が設けられ、下方に位置する上框２０の外周面２０ａには係止部材３５が設けられる。係止部材３５は、上框２０の外周面２０ａに当接してネジ止め固定される固定面部３５ａと、固定面部３５ａから上方に立ち上がる立ち上がり部３５ｂとを有した略Ｌ字状に形成されている。
【００２５】
図５には、ロック部品３０の分解側面図を示している。ロック部品３０は、固定部材３１と移動部材３２とからなり、これらをスペーサー部材３３を介してネジ３４が連結固定して構成される。
【００２６】
固定部材３１は、上枠１０の内周面１０ａに当接してネジ止め固定される固定面部３１ａと、固定面部３１ａから下方に垂下される支持面部３１ｂとを有した略Ｌ字状に形成されている。
【００２７】
移動部材３２は、支持面部３１ｂに当接する平面状に形成されていて、下端位置が支持面部３１ｂの下端位置と略同じとなる位置に固定される。このとき、図４に示すように、移動部材３２は、上框２０に設けられる立ち上がり部３５ｂとは見付方向に異なる位置にあるため、障子２を開閉させても立ち上がり部３５ｂと干渉しない上位置にある。
【００２８】
スペーサー部材３３は、樹脂製のワッシャーからなり、ネジ３４の頭部と移動部材３２の表面との間に挟まれる。また、スペーサー部材３３は樹脂製であるため、所定以上の高温になると溶融して脱落する。
【００２９】
図６には、ロック部品３０の斜視図を示している。この図に示すように、移動部材３２は左右２箇所にネジ３４を挿通させる長孔３２ａ，３２ａを有している。長孔３２ａは、上下方向に長く形成されており、その下端部にネジ３４が挿通され、移動部材３２と固定部材３１とが固定されている。
【００３０】
火災が発生した場合には、樹脂材からなるスペーサー部材３３は溶融して脱落する。これによって、ネジ３４の頭部と移動部材３２の表面との間には隙間が生じるから、移動部材３２はネジ３４による締結力を受けなくなる。そして、移動部材３２は上下に長い長孔３２ａにネジ３４を挿通させているため、スペーサー部材３３が脱落すると重力により下方にスライド移動する。
【００３１】
図７には、火災発生時の状態におけるロック部品３０の斜視図を示している。この図に示すように、火災発生時に移動部材３２が下方にスライド移動すると、移動部材３２の下端部は支持面部３１ｂの下端位置よりも下方に位置し、移動部材３２は下位置の状態となる。
【００３２】
図８には、火災発生時の状態における開口部装置の上枠１０及び上框２０付近の拡大縦断面図を示している。この図に示すように、移動部材３２が下位置の状態になると、移動部材３２の下端部が立ち上がり部３５ｂの室外側に位置することになる。この状態で障子２が開こうとすると、移動部材３２が立ち上がり部３５ｂと干渉するため、障子２は開くことができない。すなわち、火災発生時にも障子２を枠体１に拘束した状態を維持することができる。
【００３３】
このように、本実施形態では、枠体１の内周面と框体３の外周面のうち、上側に位置する方にロック部品３０を設け、下側に位置する方に立ち上がり部３５ｂを設け、ロック部品３０には高温時に脱落するスペーサー部材３３を介して移動部材３２を上位置で固定し、移動部材３２は通常時には立ち上がり部３５ｂと干渉せず、火災発生時にスペーサー部材３３が脱落すると下位置に移動して立ち上がり部３５ｂと干渉し、障子２が開かないようにしている。スペーサー部材３３は薄い平面状で樹脂製のワッシャーで構成できるので、開口部装置が高温に晒された場合には、所定温度で確実に溶融して脱落することができる。ワッシャーをできるだけ薄くすることで、火災発生時のより早期に脱落させて移動部材３２を下位置にスライド移動させることができる。また、移動部材３２の固定を解除できる構造とすればよいので、少ない部品で火災発生時における障子２の開き止めの構造を構成することができる。
【００３４】
上枠１０の内周面１０ａに設けられるロック部品３０は、図６に示すように短尺状の部材からなるが、上框２０の外周面２０ａに設けられる係止部材３５については、上框２０の長手方向略全長に渡る長尺状に形成してもよい。これにより、上框２０の強度を向上させる補強材としても係止部材３５を用いることができる。
【００３５】
また、ロック部品と立ち上がり部からなる構造は、開口部装置の下辺に設けてもよい。図９には、開口部装置の下辺にロック部品４０と立ち上がり部１１ｂを設けた場合の下枠１１及び下框２１付近拡大図を示している。この図に示すように、開口部装置の下辺においては、下框２１の外周面２１ａの方が下枠１１の内周面１１ａよりも上方に位置するので、ロック部品４０は下框２１の外周面２１ａに設けられる。立ち上がり部１１ｂは、下枠１１の内周面１１ａに断面略Ｌ字状に突出するように形成される。
【００３６】
ロック部品４０の構成は上枠１０に設けられたものと同様である。すなわちロック部品４０は、上下方向に伸びる支持面部４１ｂを有する固定部材４１と移動部材４２とを有してなり、移動部材４２を支持面部４１ｂに対して樹脂製のワッシャーからなるスペーサー部材４３を介してネジ４４で固定し、移動部材４２を上位置で保持してなるものである。移動部材４２は、下枠１１の立ち上がり部１１ｂと通常時においては干渉せず、かつ室内外方向位置が立ち上がり部１１ｂの室内側に隣接した位置となるように配置される。また、移動部材４２は、上下方向に長い長孔４２ａにネジ４４が挿通されている。
【００３７】
図１０には、火災発生時におけるロック部品４０の状態を表した下枠１１と下框２１付近拡大図を示している。火災が発生してスペーサー部材４３が脱落すると、移動部材４２は支持面部４１ｂに対し下方にスライド移動して下位置の状態となる。これにより、移動部材４２は下枠１１の立ち上がり部１１ｂと室内外方向において対向し、障子２が開こうとした際には互いに干渉するので、障子２が開かないように拘束することができる。
【００３８】
開口部装置の縦辺にも、同様の構成を設けることができる。図１１には、開口部装置の縦辺にロック部品５０と立ち上がり部２２ｂを設けた場合の縦枠１２及び縦框２２付近拡大図を示している。この図に示すように、縦枠１２の内周面１２ａにはロック部品５０が設けられ、縦框２２の外周面２２ａには立ち上がり部２２ｂが突出状に形成されている。
【００３９】
ロック部品５０は、上下方向に伸びる支持面部５１ｂを有し縦枠１２の内周面１２ａに固定される固定部材５１と、支持面部５１ｂに対し樹脂製のワッシャーからなるスペーサー部材５３を介してネジ５４により上位置に固定された移動部材５２とからなっている。移動部材５２は、上位置にある通常時には、縦框２２の立ち上がり部２２ｂと干渉せず、かつ、室内外方向において立ち上がり部２２ｂの室外側に隣接する位置に配置される。
【００４０】
図１２には、ロック部品５０の側面図を示している。この図においては、縦枠１２の内周面１２ａと縦框２２の立ち上がり部２２ｂとを破線で表している。この図に示すように、ロック部品５０を構成する移動部材５２は、下部にはネジ孔５２ａを有し、上部には縦枠１２の内周面１２ａ側に向かって開口するＵ字孔５２ｂを有している。ネジ孔５２ａとＵ字孔５２ｂには、それぞれスペーサー部材５３を介してネジ５４，５４が挿通されて、移動部材５２が支持面部５１ｂに対して固定される。
【００４１】
図１３には、火災発生時の状態におけるロック部品５０の側面図を示している。火災が発生してスペーサー部材５３が脱落すると、移動部材５２は上部のネジ５４及び下部のネジ５４両方の締結力を失い、Ｕ字孔５２ｂは縦枠１２の内周面１２ａ側が開口しているため、ネジ孔５２ａを中心に室外側に向かって回動する。なお、ここで移動部材５２が確実に室外側に向かって回動するように、移動部材はネジ孔５２ａの位置よりも室外側に重心が位置するような形状に形成されている。
【００４２】
移動部材５２は、先端部が縦框２２の外周面２２ａに当接するまで回動する。図１４には、火災発生時の状態における縦枠１２及び縦框２２付近拡大図を示している。このとき、移動部材５２は縦框２２の立ち上がり部２２ｂの室外側に位置した状態となるから、障子２が開こうとすると互いに干渉し、障子２を枠体１に拘束した状態を維持することができる。
【００４３】
縦枠１２及び縦框２２におけるロック部品と立ち上がり部の構成は、別の形態を採ることもできる。図１５には、別の形態のロック部品６０及び立ち上がり部６５ｂを有する縦枠１２と縦框２２付近の拡大図を示している。この形態では、縦框２２の外周面２２ａにロック部品６０が設けられ、縦枠１２の内周面１２ａには立ち上がり部６５ｂを有した係止部材６５が設けられている。
【００４４】
ロック部品６０は、上下方向に伸びる支持面部となる縦框２２の外周面２２ａに対し、樹脂製のワッシャーからなるスペーサー部材６２を介してネジ６３により上位置に固定された移動部材６１からなっている。移動部材６１は、縦框２２の外周面２２ａに対して当接固定される固定面部６１ａと、固定面部６１ａから外周側に突出する突出面部６１ｂとで略Ｌ字状をなすように形成されている。図１６には、移動部材６１の正面図を示している。この図に示すように、固定面部６１ａには、上下方向に長い２つの長孔６１ｃ，６１ｃが形成されていて、各長孔６１ｃにネジ６３が挿通される。また、図１５に示すように移動部材６１は、室内外方向において立ち上がり部６５ｂの室内側に隣接する位置に配置される。
【００４５】
図１７には、ロック部品６０と係止部材６５の側面図を示している。この図においては、縦枠１２の内周面１２ａと縦框２２の立ち上がり部２２ｂとを破線で表している。この図に示すように、ロック部品６０は係止部材６５よりも上方に位置しており、上位置にある通常時には、縦枠１２の立ち上がり部６５ｂと干渉しない。
【００４６】
図１８には、火災発生時の状態におけるロック部品６０と係止部材６５の側面図を示している。火災が発生してスペーサー部材６２が脱落すると、移動部材６１はネジ６３の締結力を失い、長孔６１ｃに沿って重力により下方にスライド移動する。これにより、移動部材６１の下部は係止部材６５の立ち上がり部６５ｂの室内側に位置した状態となるから、障子２が開こうとすると互いに干渉し、障子２を枠体１に拘束した状態を維持することができる。
【００４７】
以上、本発明の実施形態について説明したが、本発明の適用は本実施形態には限られず、その技術的思想の範囲内において様々に適用されうるものである。例えば、本実施形態の開口部装置は、障子２の下辺を中心に上辺が室外側に向かって傾倒自在な開き窓として構成されているが、それ以外の開き窓や引き違いサッシなど、枠体内に障子を納めてなる開口部装置であれば、どのような種類であっても本発明を適用することができる。また、障子としては扉（ドア）も含まれる。
【符号の説明】
【００４８】
１    枠体
２    障子
３    框体
４    パネル体
５    開閉機構
６    ヒンジ部
１０    上枠
１０ａ  内周面
１１    下枠
１１ａ  内周面
１１ｂ  立ち上がり部
１２    縦枠
１２ａ  内周面
１３    気密材
２０    上框
２０ａ  外周面
２１    下框
２１ａ  外周面
２２    縦框
２２ａ  外周面
２２ｂ  立ち上がり部
３０    ロック部品
３１    固定部材
３２    移動部材
３２ａ  長孔
３３    スペーサー部材
３４    ネジ
３５    係止部材
３５ｂ  立ち上がり部
４０    ロック部品
４１    固定部材
４２    移動部材
４２ａ  長孔
４３    スペーサー部材
４４    ネジ
５０    ロック部品
５１    固定部材
５２    移動部材
５２ａ  ネジ孔
５２ｂ  Ｕ字孔
５３    スペーサー部材
５４    ネジ
６０    ロック部品
６１    移動部材
６１ｃ  長孔
６２    スペーサー部材
６３    ネジ
６５    係止部材
６５ｂ  立ち上がり部
【図１】
2014074285.tif 000003
【図２】
2014074285.tif 000004
【図３】
2014074285.tif 000005
【図４】
2014074285.tif 000006
【図５】
2014074285.tif 000007
【図６】
2014074285.tif 000008
【図７】
2014074285.tif 000009
【図８】
2014074285.tif 000010
【図９】
2014074285.tif 000011
【図１０】
2014074285.tif 000012
【図１１】
2014074285.tif 000013
【図１２】
2014074285.tif 000014
【図１３】
2014074285.tif 000015
【図１４】
2014074285.tif 000016
【図１５】
2014074285.tif 000017
【図１６】
2014074285.tif 000018
【図１７】
2014074285.tif 000019
【図１８】
2014074285.tif 000020